(57)【特許請求の範囲】
【請求項１】
テレビ電話サービスに係るマルチメディアデータを選択して送信する操作を行えるようになった入力部と、
テレビ電話サービスに係るオーディオ及びビデオデータをコーデック処理し、該テレビ電話サービスの呼制御プロトコルであるＨ．２４５プロトコルにより呼制御データを処理し、前記コーデック処理したオーディオ及びビデオデータと前記Ｈ．２４５プロトコルにより処理した呼制御データとを多重化するように制御する制御部と、
前記多重化後のデータを送受信する送受信部と、
を含んで構成されたテレビ電話機能を備えた移動通信端末機であって、
前記制御部は、
テレビ電話中に、画像チャットサービスに係るマルチメディアデータが前記入力部で選択された場合には、前記選択されたマルチメディアデータのテキストデータ及び相手端末機を制御する予め設定されたコードやシンボルデータのうちの少なくとも１つを前記Ｈ．２４５プロトコルにより処理し、前記コーデック処理したオーディオ及びビデオデータと前記Ｈ．２４５プロトコルにより処理したデータとを多重化し、
前記オーディオ及びビデオデータはオーディオ及びビデオコーデックＡＰＩ（Application Program Interface）により送受信され、前記テレビ電話サービスに関する呼制御データと前記画像チャットサービスに関するマルチメディアデータはＨ．２４５ＡＰＩにより送受信されることを特徴とするテレビ電話機能を備えた移動通信端末機。
【請求項２】
Ｈ．３２４Ｍに則って前記テレビ電話サービスを提供することを特徴とする請求項１に記載のテレビ電話機能を備えた移動通信端末機。
【請求項３】
所定の端末機との間でテレビ電話サービスのための呼を設定し、
前記テレビ電話サービスに係るオーディオ及びビデオデータをコーデック処理し、該テレビ電話サービスの呼制御プロトコルであるＨ．２４５プロトコルにより呼制御データを処理し、前記コーデック処理したオーディオ及びビデオデータと前記Ｈ．２４５プロトコルにより処理した呼制御データとを多重化して送信する移動通信端末機のテレビ電話制御方法であって、
当該テレビ電話サービスの提供中に、画像チャットサービスに係るマルチメディアデータが選択された場合に、前記選択されたマルチメディアデータのテキストデータ及び相手端末機を制御する予め設定されたコードやシンボルデータのうちの少なくとも１つを前記Ｈ．２４５プロトコルにより処理し、前記コーデック処理したオーディオ及びビデオデータと前記Ｈ．２４５プロトコルにより処理したデータとを多重化して送信し、
前記オーディオ及びビデオデータはオーディオ及びビデオコーデックＡＰＩ（Application Program Interface）により送受信され、前記テレビ電話サービスに関する呼制御データと前記画像チャットサービスに関するマルチメディアデータはＨ．２４５ＡＰＩにより送受信されることを特徴とする移動通信端末機のテレビ電話制御方法。
【請求項４】
Ｈ．３２４Ｍに則って前記テレビ電話サービスを実行することを特徴とする請求項３に記載の移動通信端末機のテレビ電話制御方法。
【請求項５】
前記呼を設定する段階は、
前記所定の端末機へ発呼する過程と、
当該被呼側端末機との間に呼が確立されると、テレビ電話のためのネゴシエーションを試みる過程と、
該ネゴシエーションの成立後、前記被呼側端末機へチャットサービスを要求する過程と、
該チャットサービスの要求に対する前記被呼側端末機からの応答を処理する過程と、
前記被呼側端末機との間で前記テレビ電話サービスを実行する過程と、
を含むことを特徴とする請求項３又は請求項４に記載の移動通信端末機のテレビ電話制御方法。
【請求項６】
前記発呼の過程は、ＶＩＤ（Vendor ＩＤ）メッセージを送受信する過程を含むことを特徴とする請求項５に記載の移動通信端末機のテレビ電話制御方法。
【請求項７】
前記ＶＩＤメッセージは、国コード、メーカーコード、モデル名、バージョン情報を含むことを特徴とする請求項６に記載の移動通信端末機のテレビ電話制御方法。
【請求項８】
前記応答を処理する過程は、前記被呼側端末機からの応答が所定時間内に受信されない場合、及び、前記被呼側端末機からチャットサービス不可のメッセージが受信された場合に、該サービス不可を通知する過程を含むことを特徴とする請求項５に記載の移動通信端末機のテレビ電話制御方法。
【発明の詳細な説明】
【技術分野】
【０００１】
本発明は、移動通信（移動体通信）端末機に関し、特に、テレビ電話サービスを可能とした移動通信端末機に関する。
【背景技術】
【０００２】
最近の移動通信端末機（以下、端末機とも称する）は、技術進歩によって単純な無線通信手段の域を越えて多機能化しており、カメラ機能、マルチメディア再生機能など、無線通信以外の機能を付加したものが一般化している。カメラ（ビデオカメラ）機能やマルチメディア再生機能は、端末機のディスプレイ装置の改善と高速通信の普及によって大衆化しつつある高級機能であり、たとえば高解像度のデジタルカメラとカラーＬＣＤ画面を備えた端末機は、既に一般化したと言える。
【０００３】
最新の端末機は、ＭＰＥＧ−４ Codecによるストリーミングビデオ／オーディオデータや自機で撮像したビデオ／オーディオデータを視聴可能である。また特に、テレビ電話を可能とし、互いのカメラで撮像したビデオ／オーディオデータをリアルタイムに送受信し得る端末機の開発が活発に行われている。
【発明の開示】
【発明が解決しようとする課題】
【０００４】
現在の端末機によるテレビ電話サービスを提供するシステムは、Ｈ.３２４Ｍのプロトコルに則っており、テレビ電話をサービスしている状態で別途の付加サービスをサポートする機能は想定されていない。本発明はこの点に着目したもので、移動通信端末機を用いたテレビ電話について、より付加価値を高めることを目的とする。
【課題を解決するための手段】
【０００５】
本発明は、テレビ電話サービスを提供している最中にたとえばチャットサービスを提供し得るテレビ電話機能付移動通信端末機を提供し、付加価値を高める。
【０００６】
このために、本発明によるテレビ電話機能を備えた移動通信端末機は、テレビ電話サービスに係るマルチメディアデータを選択して送信する操作を行えるようになった入力部と、テレビ電話サービスに係るオーディオ及びビデオデータをコーデック処理し、該テレビ電話サービスの呼制御プロトコル（Ｈ．２４５）により呼制御データを処理し、前記コーデック処理したオーディオ及びビデオデータと前記呼制御プロトコルにより処理した呼制御データとを多重化するように制御する制御部と、前記多重化後のデータを送受信する送受信部と、を含んで構成されたテレビ電話機能を備えた移動通信端末機であって、前記制御部は、テレビ電話中に、画像チャットサービスに係るマルチメディアデータが前記入力部で選択された場合には、前記選択されたマルチメディアデータのテキストデータ及び相手端末機を制御する予め設定されたコードやシンボルデータのうちの少なくとも１つを前記呼制御プロトコルにより処理し、前記コーデック処理したオーディオ及びビデオデータと前記呼制御プロトコルにより処理したデータとを多重化し、前記オーディオ及びビデオデータはオーディオ及びビデオコーデックＡＰＩ（Application Program Interface）により送受信され、前記テレビ電話サービスに関する呼制御データと前記画像チャットサービスに関するマルチメディアデータはＨ．２４５ＡＰＩにより送受信されることを特徴とする。
【０００７】
また、本発明による移動通信端末機のテレビ電話制御方法は、所定の端末機との間でテレビ電話サービスのための呼を設定し、前記テレビ電話サービスに係るオーディオ及びビデオデータをコーデック処理し、該テレビ電話サービスの呼制御プロトコル（Ｈ．２４５）により呼制御データを処理し、前記コーデック処理したオーディオ及びビデオデータと前記呼制御プロトコルにより処理した呼制御データとを多重化して送信する移動通信端末機のテレビ電話制御方法であって、当該テレビ電話サービスの提供中に、画像チャットサービスに係るマルチメディアデータが選択された場合に、前記選択されたマルチメディアデータのテキストデータ及び相手端末機を制御する予め設定されたコードやシンボルデータのうちの少なくとも１つを前記呼制御プロトコルにより処理し、前記コーデック処理したオーディオ及びビデオデータと前記呼制御プロトコルにより処理したデータとを多重化して送信し、前記オーディオ及びビデオデータはオーディオ及びビデオコーデックＡＰＩ（Application Program Interface）により送受信され、前記テレビ電話サービスに関する呼制御データと前記画像チャットサービスに関するマルチメディアデータはＨ．２４５ＡＰＩにより送受信されることを特徴とする。
【０００８】
前記呼を設定する段階は、前記所定の端末機へ発呼する過程と、その被呼側端末機との間に呼が確立されると、テレビ電話のためのネゴシエーションを試みる過程と、該ネゴシエーションの成立後、前記被呼側端末機へチャットサービスを要求する過程と、該チャットサービスの要求に対する前記被呼側端末機からの応答を処理する過程と、前記被呼側端末機との間で前記テレビ電話サービスを実行する過程と、を含むことを特徴とする。
【発明の効果】
【０００９】
本発明によれば、テレビ電話実行中に付加サービスをサポートすることができる移動通信端末機が提供される。すなわち、Ｈ.３２４Ｍを構成するプロトコルを用いてテレビ電話サービスを提供しているときに、付加サービスに係るマルチメディアデータも送受信することができるようにしてあり、別途のプロトコルを追加に構成せず、画像チャットのような付加サービスを併用し得るため、テレビ電話サービスを利用するユーザの利便性を向上し得るという効果がある。
【発明を実施するための最良の形態】
【００１０】
以下、添付図面を参照して本発明の好ましい実施形態について説明する。
【００１１】
実施形態の説明において、関連した公知機能や構成についての具体的な説明は適宜省略する。また、下記の説明において、具体的な処理フローなどの多くの例を説明するが、これらは本発明の全般的な理解を助けるために示したもので、例示以外にも本発明を実施し得ることは、この技術分野における通常の知識を有する者には自明なことである。
【００１２】
本発明の基本概念は、ＩＴＵ−Ｔ勧告のＨ.３２４Ｍを構成する必須のプロトコル（Mandatory Protocol）のみを使用して、テレビ電話サービスを提供する時に、付加サービスに関するマルチメディアデータも送受信することで、テレビ電話サービスを利用するユーザの利便性を向上させるというものである。
【００１３】
図１は、本実施形態において移動通信端末機のテレビ電話サービスを提供するシステムについて、その動作原理の一例を示す図である。
【００１４】
図１に示すように、当該システムは、テレビ電話サービスに係るビデオ／オーディオデータ及び付加サービスに係るマルチメディアデータを多重化して送信する第１端末機１００と、その送信されたビデオ／オーディオデータ及びマルチメディアデータを逆多重化して再生する第２端末機２００と、がネットワーク３００を介して回線接続することで構成される。
【００１５】
図２は、このようなテレビ電話機能を備えた移動通信端末機を示すブロック図である。
【００１６】
図２に示すように、この例の移動通信端末機は、テレビ電話中に受信される相手画像を表示する表示部１０と、テレビ電話中に、たとえば文字メッセージを入力又は送信しようとする場合にマルチメディアデータの選択及び送信命令を入力可能な入力部２０と、そのマルチメディアデータ、及びテレビ電話中に送受信される自己や相手画像などのテレビ電話データを記憶可能なメモリ４０と、送信するマルチメディアデータ及びテレビ電話データを多重化するマルチプレクサ５０と、当該多重化データを送信し、相手からの多重化データを受信可能な送受信部６０と、テレビ電話のプロトコルを実行し、テレビ電話中に送信するマルチメディアデータを該当プロトコルにより処理し、マルチプレクサ５０を制御してマルチメディアデータを多重化し、送受信部６０を制御して多重化データを送受信する制御部３０と、を含んで構成されている。
【００１７】
以下、図２を参照して、本発明の好ましい実施形態による移動通信端末機について説明する。
【００１８】
本例の移動通信端末機では、テレビ電話中に、文字メッセージを含めたマルチメディアデータを相手の端末機に伝送しようと思うと、入力部２０により、オーディオ、ビデオ、テキストなどのマルチメディアを選択することができる。該選択されたマルチメディアデータは、制御部３０において送信用に処理する。
【００１９】
たとえばオーディオデータが選択された場合、オーディオコーデックであるＡＭＲ又はＧ.７２３.１により処理し、該処理後のオーディオデータを、Ｈ.２２３マルチプレクサ５０により多重化して、相手の端末機へ送信する。また、ビデオ（動画）データが選択された場合、ビデオコーデックであるＨ.２６３又はＭＰＥＧ４により処理し、該処理後のビデオデータを、Ｈ.２２３マルチプレクサ５０により多重化して、相手の端末機へ送信する。この他、制御部３０には、データ会議のための処理を実行するＴ.１２０を追加しておいてもよい。
【００２０】
このようなオーディオ、ビデオ、テキストなどのマルチメディアデータを各プロトコルに則って処理するためのモジュール（ソフト／ハード）は、制御部３０に備えるか、又は別のハードウエアとして備えることができる。
【００２１】
さらに、本例の移動通信端末機は、相手の端末機の振動モード制御やキーパッド制御など、相手の端末機で所定の制御を実行させる命令を入力部２０から入力することが可能で、このときの制御部３０は、自機に備えたＨ.２４５プロトコルモジュールにより、マルチメディアデータに当該相手機制御命令を含めて送信する。
【００２２】
図３は、本実施形態における移動通信端末機のテレビ電話回線接続過程についてのフローチャートである。
【００２３】
図３に示すように、まず、第１移動通信端末機１００（発呼側端末機）から発呼して第２移動通信端末機２００（被呼側端末機）を呼び出す呼を設定する（Ｓ１１０）。すなわち、第１移動通信端末機１００が、第２移動通信端末機２００を指定して接続を要求するメッセージで発呼する。被呼側の第２移動通信端末機２００が、接続要求メッセージに答えて接続を許可するメッセージを第１移動通信端末機１００へ返すと、第１移動通信端末機１００と第２移動通信端末機２００との間に呼が設定される。呼がつながると第１及び第２端末機１００，２００は、ＶＩＤ（Vendor ＩＤ）メッセージを交信する（Ｓ１２０）。このＶＩＤには、国コード、メーカーコード、モデル名、バージョンなどを示す情報が含まれている。
【００２４】
呼が設定されると、第１移動通信端末機１００と第２移動通信端末機２００とは、各種の制御情報をネゴシエーションする（Ｓ１３０）。これは例えばＨ．２４５に則ったもので、１）Master/Slave Determinationメッセージにより、第１及び第２移動通信端末機１００，２００のいずれか一方をMaster、他方をSlaveに決定し、２）Terminal Capacity Setメッセージにより、伝送するビデオ／オーディオデータの処理能力を設定し、３）Multiplex Entry Sendメッセージにより、Multiplex Entryを伝送し、４）Open Logical Channel（Audio）メッセージによりオーディオデータを伝送するLogical Channelを開き、５）Open Logical Channel（Video）メッセージによりビデオデータを処理するLogical Channelを開く。
【００２５】
該過程Ｓ１３０でLogical Channelが開き、ネゴシエーションが成立した後、第１移動通信端末機１００が第２移動通信端末機２００にチャットサービスを要求し、第２移動通信端末機２００が当該要求に応答すると、これら第１端末機及び第２端末機１００，２００では、テレビ電話をしながらチャットサービスを利用することができるようになる（Ｓ１４０）。しかし、チャットサービスの要求に対し、第２端末機２００からの応答が所定時間（例：６秒）の内に受信できない場合、第２端末機２００からチャットサービス不可のメッセージが返ってきた場合は、第１端末機１００は、チャットサービスができないことを表示部やスピーカなどを通して通知する。
【００２６】
以上の回線設定が済むと、第１移動通信端末機１００は、ネゴシエーションした制御情報に基づいて、Ｈ.２２３マルチプレクサ５０を介しビデオ／オーディオデータを第２移動通信端末機２００へ送信することができる（Ｓ１５０）。そして、第２移動通信端末機２００は、受信したビデオ／オーディオデータをＨ.２３３デマルチプレクサ５０により逆多重化して再生する。すなわち、第１移動通信端末機１００と第２移動通信端末機２００とは、ビデオ／オーディオデータの交信により、テレビ電話サービスを実行する。
【００２７】
図４は、移動通信端末機のテレビ電話サービスを提供するＨ.３２４Ｍプロトコルの構造を示すブロック図である。
【００２８】
図４に示すように、テレビ電話サービスを提供する移動通信端末機は、テレビ電話に関するビデオデータをビデオコーデックであるＨ.２６３又はＭＰＥＧ４により処理し、オーディオデータをオーディオコーデックであるＡＭＲ（Adaptive Multi-Rate）又はＧ.７２３.１により処理（圧縮符号化）して、該処理後のビデオ／オーディオデータをＨ.２２３マルチプレクサ５０により多重化して送出する。このときに、本例の場合、各種の制御情報だけではなく、当該テレビ電話中の付加サービスに係るマルチメディアデータの情報をＨ.２４５により送信することができる。
【００２９】
これに加えて、データ会議のためのデータを処理するＴ.１２０を追加することもできる。なお、ＣＣＳＲＬ（Control Channel Segmentation and Reassembly）は、ＩＴＵ−Ｔ（International Telecommunications Union Telecommunication Standardization Sector）勧告Ｈ.３２４／別添Ｃに規定する制御フレームのＳＡＲ（Segmentation And Reassembly）方式として、安定したＨ.２４５メッセージ交換の役割を果たす。また、ＣＣＳＲＬセグメントのカプセル化を担当するＮＳＲＰコマンドの最大サイズは、２０４８ Octetsである。
【００３０】
図５は、テレビ電話中にマルチメディアデータを送受信するMultimedia Application Layerを説明する階層図である。
【００３１】
図５に示すように、テレビ電話中にリアルタイムにマイクロホンで集音される生のオーディオ（live voice）、端末機１００，２００に保存されている既存のオーディオ（recorded voice）、デフォルトで端末機内に保存されているか又は後から端末機にダウンロードされた音楽などのオーディオデータは、オーディオエンコーダ（Audio Encoder）を使用するUser Data Layerに入力される。また、テレビ電話中にリアルタイムにカメラで撮像される生の画像（live video）、デフォルトで端末機内に保存されているか又は端末機のカムコーダ機能やダウンロードで端末機に保存されている画像、端末機のスチルカメラ機能で保存されている画像、アニメーションなどのビデオデータは、ビデオエンコーダ（Video Encoder）を使用するUser Data Layerに入力される。さらに、テキストや、相手端末機の振動モードの制御及びキーパッドの制御などのように限定された相手端末機機能を制御する制御信号は、Ｈ.２４５プロトコルを使用するUser Dataに入力される。
【００３２】
オーディオ及びビデオエンコーダにより符号化したデータは、Ｈ.２２３のＡＬ２（Adaptation Layer ２）又はＡＬ３（Adaptation Layer ３）を利用してＡＬ−ＰＤＵ（Ptotocol Data Unit）とし、Ｈ.２４５信号は、Ｈ.２２３のＡＬ１を利用してＡＬ−ＰＤＵとする。各ＡＬ−ＰＤＵは、Ｈ.２２３のMultiplexer Layerにより、ビットストリームとなってＷＣＤＭＡモデムを介し無線ネットワークへ送出される。
【００３３】
このように構成されたモジュールにより、テレビ電話中にオーディオ、ビデオ、テキスト（文字や表計算等の情報）を伝送することができる。そして、かかってきた電話に応じるのが遅れるような場合や、テレビ電話中にしばらく応答できない状況が生じた場合などに、端末機内に保存してあるビデオやオーディオを相手端末機へ送信することができる。また、テレビ電話中に、所定のテキストや、端末機内に保存してある音楽、ビデオ、アバター（自分の分身となるキャラクター）を送ることができる。
【００３４】
図６は、テレビ電話中にマルチメディアデータを送受信するためのＡＰＩ構造を説明する階層図である。
【００３５】
図６は、マルチメディア通信可能な画像チャットを実現するために、３Ｇ−３２４Ｍのソフトウェアに基づいたＡＰＩ（Application Program Interface）の構造を示す図であり、テレビ電話時に入力される各データに対するＡＰＩを定義し、関連したLayerのＡＰＩを通じてデータを送受信することが示されている。ビデオ／オーディオデータは、ビデオ／オーディオコーデックＡＰＩを使用し、コントロール信号（Control Signal）は、Ｈ.２４５ ＡＰＩを使用し、Call setup ＡＰＩは、Ｈ.２４５とＨ.２２３のMultiplexer ＡＰＩを呼び出す。
【００３６】
図７は、異なる移動通信網を通じて移動通信端末機のテレビ電話を提供するシステムを示すブロック図である。
【００３７】
図７に示すように、当該システムにおける第１端末機１００は、テレビ電話サービスに係るビデオ／オーディオデータと、付加サービスに係るマルチメディアデータと、を多重化して送信し、第１テレビ電話サービスの規格を使用する。マルチメディアゲートウェイ（Multimedia Gateway）４００は、第１テレビ電話サービスの規格に基づいて送信されたデータを第２テレビ電話サービスの規格に該当するフォーマットに変換する。第２端末機２００は、第２テレビ電話サービスの規格を使用し、ゲートウェイ４００によりフォーマット変換されたデータを逆多重化して再生する。
【００３８】
マルチメディアゲートウェイ４００は、ビデオ／オーディオデータを、該当するビデオ／オーディオコーデックにより変換するメディアトランスコーディング部（Transcoding Unit）４１０と、マルチメディアデータを含むメッセージを、該当するメッセージフォーマットに変換するプロトコル変換部（Protocol Conversion Unit）４２０と、を含む。
【００３９】
このように構成された異なる移動通信網を通じて端末機のテレビ電話を提供するシステムの動作原理について詳細に説明する。
【００４０】
まず、第１端末機１００は、第１テレビ電話サービスの規格に基づいてテレビ電話サービスに係るビデオ／オーディオデータと、付加サービスに係るマルチメディアデータと、を多重化して送信する。
【００４１】
マルチメディアゲートウェイ４００は、第１テレビ電話サービスの規格に基づいて送られてくる各データを、第２テレビ電話サービスの規格に該当するフォーマットに変換する。すなわち、メディアトランスコーディング部４１０は、ビデオ／オーディオデータを、該当するビデオ／オーディオコーデックにより変換し、プロトコル変換部４２０は、マルチメディアデータを含むメッセージを、該当するメッセージフォーマットに変換する。
【００４２】
次いで、第２端末機２００は、マルチメディアゲートウェイ４００で第２テレビ電話サービスの規格に基づくフォーマットに変換されて送られてくるデータを逆多重化して再生する。これにより、ビデオ／オーディオデータに基づいてテレビ電話サービスを実行し、且つマルチメディアデータに基づいて付加サービスを同時に実行する。
【００４３】
図８は、テレビ電話中に送受信されるマルチメディアデータのフォーマット例を示す図である。
【００４４】
図８に示すように、データフォーマットは、Header部分とData部分に大きく分かれる。
【００４５】
Header部分のVersion Informationは、データフォーマットの現在のバージョンを示す。Size in Byteは、Header部分とData部分を合わせたByte単位のサイズを示す。Data Typeは、本データのタイプを示す。Resourceは、現在のデータが標準リソースを使用しているか否かを示し、１ビットを使用する。Data coding schemeは、データをコーディングする技法、すなわち、ＫＳＣ ５６０１やＵＴＦ８（ＡＳＣＩＩ）のようなコーディング技法に関する情報を示す。Compression Methodsは、圧縮や暗号化方式を示すためにオクテットの最後の２ビットを使用する。Sequence Numberは、連続データがある場合に当該メッセージの発生順序を示す。Reserved bitsは、拡張性及びメーカの特性を考慮するために割り当てられている。
【００４６】
Data部分は、ユーザデータの格納部分であり、ここに実マルチメディアデータが入る。大韓民国のＷＣＤＭＡ端末機である場合には、ＫＳＣ５６０１で符号化されたデータ値を示す。
【００４７】
図９は、移動通信端末機によるテレビ電話サービスの実行過程を例示したフローチャートである。
【００４８】
まず最初に、テレビ電話機能を備えた移動通信端末機（第１端末機）においてテレビ電話機能が選択されると（Ｓ２００）、被呼側端末機（第２端末機）へ発呼して呼を設定する（Ｓ２０２）。そして、Ｈ. ２４５を利用して発呼側端末機から被呼側へVendor ＩＤメッセージを送信し（Ｓ２０４）、被呼側端末機からVendor ＩＤメッセージを受信する（Ｓ２０６）。上述の通りVendor ＩＤメッセージは、国コード、メーカーコード、モデル名、バージョン情報などを含んでいる。
【００４９】
端末機間でVendor ＩＤメッセージの送受信が完了すると回線が設定され、両者がテレビ電話を開始する。このテレビ電話中に、両端末機は、オーディオ、ビデオ、テキストなどのマルチメディアデータ（テレビ電話中の付加サービスに係るデータ）を選択して送信する操作があるかどうかを監視しており（Ｓ２０８）、マルチメディアデータの送信が要求されると、当該送信側端末機から受信側端末機へ、これから送信するマルチメディアデータのインデックスが送信される（Ｓ２１０）。送信側端末機からマルチメディアデータのインデックスを受信した受信側端末機は、そのマルチメディアデータをサービスするためのエミュレータのバージョンなどの情報を含めたインデックスを、送信側端末機へ返信する（Ｓ２１２）。
【００５０】
受信側端末機からインデックスが返ってくると、送信側端末機は、マルチメディアデータをＨ.２２３マルチプレクサに入力して多重化し（Ｓ２１４）、受信側端末機へ送信する（Ｓ２１６）。上述のように、ビデオデータはＨ.２６３又はＭＰＥＧ４により処理し、オーディオデータはＡＭＲ又はＧ.７２３.１により処理し、他のデータはＨ．２４５により処理してＨ．２２３マルチプレクサで多重化する。
【００５１】
継いで送信側端末機は、さらに他のマルチメディアデータの送信があるかどうか判断し（Ｓ２１８）、送信するマルチメディアデータがあればインデックス送信過程Ｓ２１０に戻り、なければテレビ電話サービスを継続し、テレビ電話の話了で（Ｓ２２０）終了する。
【００５２】
マルチメディアデータを受信する受信側端末機は、当該受信データを再生する付加サービス機能が選択されているか否かを確認する。上記インデックスに関しては、Vendor ＩＤの交信過程（Ｓ２０４−Ｓ２０６）において、送受信されるVendor ＩＤにインデックスを追加するような手法も可能で、あるいは、上記のように、テレビ電話実行状態におけるマルチメディアデータのインデックス交信過程（Ｓ２１０−Ｓ２１２）でもよい。インデックスは、送信するマルチメディアデータのインデックスだけではなく、端末機のインデックスバージョンも含まれている。
【００５３】
付加サービスとしては、テレビ電話中にテキストデータを伝送するサービス、自動応答サービスを提供するためのビデオ、オーディオ、テキストデータを伝送するサービス、ＢＧＭサービスを提供するためのオーディオデータを伝送するサービス、代替ビデオサービスを提供するためのビデオデータを伝送するサービス、双方向システム制御サービスを提供するための予め設定されたコードやシンボルデータを伝送するサービスなどがある。さらに、付加サービスは、画像チャットサービス、自動応答サービス、ＢＧＭサービス、代替ビデオサービスに限定されるものではなく、テレビ電話サービスの品質に影響を及ぼさないでユーザの利便性を向上し得るサービスが適用される。
【００５４】
第１移動通信端末機１００（送信側端末機）は、付加サービスが選択された時、該付加サービスに関するマルチメディアデータを、Ｈ.２２３マルチプレクサ５０に入力する。付加サービスに関するマルチメディアデータの情報は、Ｈ.２４５により処理され、ＣＣＳＲＬ（Control Channel Segmentation and Reassembly Layer）、ＮＳＲＰ（Numbered Simple Retransmission Protocol）によりＨ.２２３マルチプレクサ５０に入力される。Ｈ．２２３マルチプレクサ５０は、入力されたビデオ／オーディオデータ及びマルチメディアデータを多重化して１つのビットストリームを生成し、該生成したビットストリームを移動通信網を通じて第２移動通信端末機２００（受信側端末機）に送信する。
【００５５】
以上のように、同種の移動通信網を通じてテレビ電話及び付加サービスを提供し得るだけではなく、異なる移動通信網を通じてテレビ電話及び付加サービスを提供することもできる。
【００５６】
本発明は、前述した実施形態及び添付図面に限定されるものではなく、本発明が属する技術の分野における通常の知識を有する者が本発明の技術的な思想を逸脱しない範囲内で多様に変形及び変更が可能である。従って、本発明の保護範囲は、添付された特許請求の範囲の技術的な思想により決定されるべきである。
【図面の簡単な説明】
【００５７】
【図１】本発明に係る移動通信端末機を含んでテレビ電話サービスを提供するシステムの概略図。
【図２】本発明に係るテレビ電話機能を備えた移動通信端末機の要部ブロック図。
【図３】テレビ電話回線接続の過程を説明するチャート。
【図４】Ｈ.３２４Ｍプロトコルの構造を説明するブロック図。
【図５】テレビ電話中にマルチメディアデータを交信するMultimedia Application Layerの階層図。
【図６】テレビ電話中にマルチメディアデータを交信するためのＡＰＩ構造を示す階層図。
【図７】異なる移動通信網を通じてテレビ電話サービスを提供するシステムのブロック図。
【図８】テレビ電話中に送受信されるマルチメディアデータのフォーマット例を示す図。
【図９】テレビ電話中のマルチメディアデータ送信過程を説明するフローチャート。
【符号の説明】
【００５８】
１０：表示部
２０：入力部
３０：制御部
４０：メモリ
５０：マルチプレクサ 
６０：送受信部
１００：移動通信端末機
３００：ネットワーク
４００：マルチメディアゲートウェイ
４１０：メディアトランスコーディング部
４２０：プロトコル変換部
【図１】
0005122102.tif 000002
【図２】
0005122102.tif 000003
【図３】
0005122102.tif 000004
【図４】
0005122102.tif 000005
【図５】
0005122102.tif 000006
【図６】
0005122102.tif 000007
【図７】
0005122102.tif 000008
【図８】
0005122102.tif 000009
【図９】
0005122102.tif 000010